(57)【要約】  成形工具５；１０７を用いてプラスチック部品を射出成形する段階を含むプラスチック製品の製造方法において、射出成形後、成形工具５；１０７はプラスチック部品と一体に移動される。プラスチック部品を製造する装置も記載されている。この装置は、射出成形ノズル２３と、互いに協働する鋳型又は半鋳型６を備えた、開位置及び閉位置を有する成形工具５；１０７とを有する。さらに、その装置は、射出成形が実施される射出成形位置に関して各プラスチック部品を移動させる手段２；１００と、成形工具５；１０７を閉じた状態でプラスチック部品と一体に移動させる手段２；１０８；１０９とを有する。
2005515095.tif 000002
【特許請求の範囲】
【請求項１】
成形工具（５；１０７）を用いてプラスチック部品を射出成形する段階を含むプラスチック部品の製造方法であって、射出成形後に前記成形工具（５；１０７）が前記プラスチック部品と一体に移動される段階をさらに含むことを特徴とする、プラスチック部品の製造方法。
【請求項２】
移動中、前記各プラスチック部品が放冷される、請求項１に記載の方法。
【請求項３】
射出成形後、前記各プラスチック部品が射出成形位置に関して冷却位置まで移動される、請求項１又は２に記載の方法。
【請求項４】
前記冷却位置において前記各プラスチック部品が放冷される、請求項３に記載の方法。
【請求項５】
射出成形前に、
前記成形工具（５；１０７）が閉じる段階と、
前記成形工具（５；１０７）に、それらを一体に保持するための第１の力がかかる段階と、
前記成形工具内に射出成形ノズル（２３）が位置決めされる段階と、
前記成形工具（５；１０７）に、それらを一体に保持するための、前記第１の力よりも大きな第２の力がかかる段階と、
射出成形後に、
前記成形工具（５；１０７）が負荷から開放される段階と
をさらに含む、前記請求項のいずれか一項に記載の方法。
【請求項６】
移動中、前記成形工具に前記第１の力がかかる、請求項５に記載の方法。
【請求項７】
移動後、前記成形工具（５；１０７）が開く、請求項５又は６に記載の方法。
【請求項８】
前記射出成形位置において、あるプラスチック部品の射出成形が実施されると同時に、前記冷却位置にそれより前に射出成形された別のプラスチック部品が配置される、前記請求項のいずれか一項に記載の方法。
【請求項９】
包装容器を形成するために、上部（２５）の形のプラスチック部品がスリーブ（２２）の１つの端部上に射出成形される、請求項５から８までのいずれか一項に記載の方法。
【請求項１０】
前記射出成形ノズル（２３）の位置決めの際、前記スリーブ（２２）が前記成形工具（５；１０７）に関して位置決めされる、請求項６に記載の方法。
【請求項１１】
開口装置の形のプラスチック部品が、材料ウェブ（１０１）の開口内で射出成形される、請求項１から８までのいずれか一項に記載の方法。
【請求項１２】
前記射出成形ノズル（２３）の位置決めの際、前記材料ウェブ（１０１）が前記成形工具（５；１０７）に関して位置決めされる、請求項１１に記載の方法。
【請求項１３】
射出成形ノズル（２３）と、互いに協働する鋳型又は半鋳型を備えた、開位置及び閉位置を有する成形工具（５；１０７）と、射出成形が実施される射出成形位置に関して各プラスチック部品を移動させる手段（２，１００）とを有する、プラスチック部品を製造する装置であって、前記成形工具（５；１０７）を閉じた状態で前記プラスチック部品と一体に移動させる手段（２；１０８，１０９）を有することを特徴とする、プラスチック部品を製造する装置。
【請求項１４】
前記鋳型（６）を互いに近づけ遠ざけるように移動させることによって前記成形工具をそれぞれ開け、閉じる、カム機構（１７）をさらに有する、請求項１３に記載の装置。
【請求項１５】
前記鋳型（６）を支持し、移動させる保持手段（７）をさらに有する、請求項１４に記載の装置。
【請求項１６】
前記各保持手段（７）が、カム溝（１９）をたどるように配設されたホイール（１１）を有する、請求項１５に記載の装置。
【請求項１７】
前記ホイール（１１）がばねで偏倚される、請求項１６に記載の装置。
【請求項１８】
射出成形中、前記鋳型（６）を一体に保持する結合装置（１５）をさらに有する、請求項１３から１７までのいずれか一項に記載の装置。
【請求項１９】
前記結合装置（１５）が、前記鋳型（６）に、それらを一体に保持するための、第１の力及び第２の力をかけるように配設され、前記第２の力が前記第１の力よりも大きい、請求項１８に記載の装置。
【請求項２０】
前記成形工具（５）内に前記射出成形ノズル（２３）を位置決めする手段（２４）をさらに有する、請求項１９に記載の装置。
【請求項２１】
前記結合装置（１５）が、前記第１の力をかけるばねユニット（１３）を有する、請求項１８から２０までのいずれか一項に記載の装置。
【請求項２２】
前記結合装置（１５）が、前記第２の力をかけるピストンとシリンダの組立体（１６）を有する、請求項１８から２１までのいずれか一項に記載の装置。
【請求項２３】
前記成形工具（５）を移動させる手段（２）が、回転ハブ（４）と、該回転ハブ（４）から径方向に外に突き出し、前記成形工具（５）がその径方向外端に配設されている、少なくとも１つのアーム（３）とを備える、請求項１３から２２までのいずれか一項に記載の装置。
【請求項２４】
前記成形工具（５）を移動させる手段（２）が、５つの前記径方向のアーム（３）を有し、前記ハブ（４）まわりに対称に配置された各アーム（３）の径方向外端に、前記成形工具（５）が１つずつ配設されている、請求項２３に記載の装置。
【請求項２５】
前記成形工具（５）が、前記ハブ（４）まわりの回転によって、前記結合装置（１５）に挿入され、そこから取り外されるように配設されている、請求項２３又は２４に記載の装置。
【請求項２６】
前記成形工具を移動させる手段（１０８，１０９）が、対になって配設された駆動手段を備える、請求項１３から２２までのいずれか一項に記載の装置。
【請求項２７】
前進方向（Ｍ）に材料ウェブ（１０１）を前進させる手段（１００）をさらに含み、前記材料ウェブ（１０１）上に、プラスチック部品が射出成形され、前記材料ウェブ（１０１）が前進する位置の両側に前記駆動手段（１０８，１０９）が配設される、請求項２６に記載の装置。
【請求項２８】
前記駆動手段（１０８，１０９）が、前記成形工具（１０７）を、前記材料ウェブ（１０１）の前進方向Ｍに、前記材料ウェブ（１０１）を前進させる速度と実質的に同じ速度で移動させるように配設されている、請求項２６又は２７に記載の装置。
【請求項２９】
前記各駆動手段上に前記成形工具が少なくとも２つずつ配設されている、請求項２７又は２８に記載の装置。
【請求項３０】
前記駆動手段が回転ホイール（１０９）を備える、請求項２６から２９までのいずれか一項に記載の装置。
【請求項３１】
前記駆動手段がエンドレス・ベルト（１０８）を備える、請求項２６から２９までのいずれか一項に記載の装置。
【請求項３２】
前記駆動手段がエンドレス・チェーン（１０９）を備える、請求項２６から２９までのいずれか一項に記載の装置。
【請求項３３】
積層板紙のスリーブ（２２）の１つの端部上にプラスチック部品を射出成形することによって、包装容器用の上部（２５）の形のプラスチック部品を形成するように配設されている、請求項１３から２５までのいずれか一項に記載の装置。
【請求項３４】
包装容器（１１０）製造のため、積層板紙の材料ウェブ（１０１）内で開口装置の形のプラスチック部品を形成するように配設されている、請求項１３から２２まで又は請求項２６から３２までのいずれか一項に記載の装置。
【発明の詳細な説明】
【技術分野】
【０００１】
本発明は、成形工具を用いてプラスチック部品を射出成形する段階を含む、プラスチック部品を製造する方法に関する。本発明はまた、射出ノズルと、互いに協働する鋳型を備えた、開位置及び閉位置を有する成形工具と、射出成形が実施される射出成形位置に関して各プラスチック部品を移動させる手段とを有する、プラスチック部品を製造する装置に関する。
【背景技術】
【０００２】
紹介のために述べた形式の方法及び装置は、たとえば国際公開第９８／１８６０８号から既知である。同国際公開では、開口装置が材料ウェブの開口に直接射出成形され、その後この材料から包装容器が形成される。
【０００３】
欧州特許公開第８６２、９８０号には、包装容器用の半加工品を形成するために、プラスチックの端壁をスリーブ（胴部）の１つの端部上に射出成形する方法及び装置が記載されている。スリーブが、回転するマンドレル・ホイールのマンドレル上に送られ、それによってスリーブが射出成形ノズル付きの成形工具へと１つずつ移動し、そこでスリーブの端部に端壁が形成される。それによって形成された包装容器の半加工品は回転して、冷却ステーション、次いで排出ステーションまで進み、そこでマンドレルから取り外される。
【０００４】
プラスチック部品の射出成形における１つの問題は、成形工具を取り外したとき、変形しないようにプラスチック部品が冷めていなければならないことである。その結果、成形工具内での冷却のために、製造工程において十分な時間をとらなければならない。しかし、この時間が長くなると、その工程は遅くなり、それによって経済的に不利になる。
【発明の開示】
【発明が解決しようとする課題】
【０００５】
したがって、本発明の目的は、製造工程を過度に遅くせずに、十分な冷却時間をもたらす、プラスチック部品の製造方法を実現することである。本発明のさらなる目的は、従来技術に比べて改良された、プラスチック部品を製造する装置を実現することである。
【課題を解決するための手段】
【０００６】
これらの目的は、紹介のために上記で述べた形式の方法に、添付の請求項１で述べた特徴を加えた本発明によって達成されるであろう。本方法の好ましい実施例は、添付の従属請求項２から１２までにおいて明らかになるであろう。本発明の目的はまた、添付の請求項１３で述べた装置及び添付の従属請求項１４から３４までに開示した好ましい実施例によって達成されるであろう。
【０００７】
したがって、本発明による方法では、射出成形後、成形工具がプラスチック部品と一体に移動されるという特徴を利用する。そのような手段によって、製造工程を遅くせずに成形工具内でのプラスチック部品の冷却時間を増大させることができる。
【０００８】
本発明による方法の一変形形態によれば、移動動作中に各プラスチック部品が冷め、それによって冷却時間が長くなる。
【０００９】
本発明による方法の別の変形形態によれば、各プラスチック部品は、射出成形後、射出成形が実施された射出成形位置に関して冷却位置まで移動される。これは冷却の向上に寄与する。
【００１０】
好ましくは、冷却位置において各プラスチック部品が冷め、それによって冷却時間がさらに長くなる。
【００１１】
本発明による方法の好ましい一変形形態は、射出成形前に、成形工具が閉じる段階と、成形工具にそれらを一体に保持するための第１の力がかかる段階と、成形工具内に射出成形ノズルが位置決めされる段階と、成形工具に、それらを一体に保持するための、第１の力よりも大きい第２の力がかかる段階と、射出成形後に、成形工具が負荷から開放される段階とをさらに含む。それによって、射出成形を高い精度で実施することができる。
【００１２】
移動動作中、第１の力によって成形工具が負荷を受けることが有利であろう。その結果、成形工具は確実に一体に保持される。
【００１３】
本発明による方法の別の変形形態によれば、移動動作後、成形工具が開く。そのような手段によって、移動中、プラスチック部品は成形工具内にとどまり続ける。
【００１４】
本発明による方法の好ましい一実施例によれば、射出成形位置におけるプラスチック部品の射出成形は、それより前に射出成形された別のプラスチック部品が冷却位置に配置されると同時に実施される。１つのプラスチック部品の射出成形を、それより前に射出成形されたプラスチック部品の冷却が完了する前に開始することができるので、製造工程の効率がさらによくなる。
【００１５】
本方法の一変形形態においては、包装容器形成のために、プラスチック部品は、スリーブの１つの端部上に上部の形で射出成形される。これは、包装容器を製造する合理的な方法である。
【００１６】
好ましくは、射出成形ノズルが位置決めされた後にスリーブが成形工具に関して位置決めされる。それによって、スリーブ端部上に上部が高い精度で位置決めされるようになる。
【００１７】
本発明による方法の別の変形形態によれば、プラスチック部品は、材料ウェブの開口内に、開口装置の形で射出成形される。これは、材料ウェブ内に開口装置を配設する合理的な方法である。その後、その材料ウェブから包装容器を形成することができる。
【００１８】
有利には、射出成形工具が位置決めされた後に材料ウェブが成形工具に関して位置決めされ、それによって、材料ウェブ内で開口装置が高い精度で位置決めされるようになる。
【００１９】
本発明による装置では、工具を閉じた状態でプラスチック部品と一体に移動させる手段を利用する。それによって、生産速度を高く保ちながら冷却時間を長くすることが可能になる。
【００２０】
一実施例においては、装置は、半鋳型を互いが近づき遠ざかるように移動させることによって成形工具をそれぞれ開け、閉じる、カム機構を有する。それによって、成形工具の開閉のための確実な機械的制御を得ることができる。
【００２１】
その装置はさらに、鋳型を支持し移動させる保持手段を備えることができる。それによって、成形工具の開閉が容易になる。
【００２２】
好ましくは、各保持手段は、カム溝をたどるように配置されたホイールを有する。それによって、簡単に成形工具を開閉することが可能になる。
【００２３】
そのホイールはばねで偏倚され、それによって、半鋳型の案内及び制御がカム溝の摩耗を受けにくくなる。
【００２４】
一実施例によれば、装置はさらに、射出成形中に鋳型を一体化させる結合装置を有する。それによって、射出成形中、成形工具は確実に一体に保持されるようになる。
【００２５】
有利には、この結合装置は、鋳型に、それらを一体に保持するための、第１の力及び第２の力をかけるように配設される。第２の力は第１の力よりも大きい。その結果、より大きな力をかける前に、一体化した成形工具のいくつかの調整を実施することができ、それによって射出成形中の成形工具の一体化が確実になる。
【００２６】
本発明による装置はさらに、成形工具内に射出成形ノズルを位置決めする手段を備えることができる。それによって射出成形における精度が高くなる。
【００２７】
一実施例においては、この結合装置は第１の力をかけるばねを備える。これは、成形工具の一体化を実現する簡単で確実な方法である。
【００２８】
結合装置はさらに、第２の力をかけるシリンダを備える。そのような手段によって、大きな第２の力を確実に生成することができる。
【００２９】
本発明の一実施例によれば、成形工具を移動する手段は、回転ハブと、そのハブから径方向に外側に突き出ており、成形工具がその径方向の外端に配設されている少なくとも１つのアームとを含む。そのような手段によって、成形工具をプラスチック部品と一体に簡単に移動させることができるようになる。
【００３０】
本発明による装置の好ましい一実施例によれば、成形工具を移動させる手段は、５つの径方向のアームを有し、ハブまわりに対称に配置された各アームの径方向外端に、成形工具が１つずつ配設されている。この構成によって、ある成形工具内で冷却しながら、別の成形工具内で射出成形を実施することができるので、プラスチック部品の製造の効率がよくなる。
【００３１】
有利には、成形工具は、ハブまわりの回転によって結合装置内に入りそこから出るように配設される。これは、成形工具を結合装置に挿入する簡単な方法である。
【００３２】
本発明による装置の別の好ましい実施例においては、成形工具を移動させる手段は、１対の駆動手段からなる。それによって、成形工具の確実な移動を実現することができる。
【００３３】
本発明による装置はさらに、好ましくは、前進方向に材料ウェブを進ませる手段を含む。その材料ウェブ上に、プラスチック部品が射出成形され、材料ウェブが前進する位置の両側に駆動手段が配設される。その結果、成形工具の鋳型を、材料ウェブに関して簡単に確実に配設することができる。
【００３４】
有利には、駆動手段は、材料ウェブの前進方向に、材料ウェブを前進させる前進速度と実質的に同じ速度移動で、成形工具を移動させるように配設される。それによって、冷却中に材料ウェブを遅くする必要がなくなるので、迅速で確実な製造工程が保証される。
【００３５】
好ましくは、各駆動手段に、成形工具が少なくとも２つずつ配設され、それによって、ある成形工具内で冷却しながら別の成形工具内で射出成形を実施することができるので、迅速な製造工程が可能になる。
【００３６】
駆動手段は、回転ホイールを備えることもでき、これは成形工具を移動させる機械的に簡単な方法である。
【００３７】
一代替実施例によれば、駆動手段はエンドレス・ベルトからなってよい。
【００３８】
別の代替実施例によれば、駆動手段はエンドレス・チェーンからなってよい。
【００３９】
好ましい一実施例においては、本発明による装置は、積層板紙のスリーブの１つの端部上に、包装容器用の上部の形のプラスチック部品を形成するように配設される。それによって、プラスチック上部が付いた板紙の包装容器の製造効率がよくなる。
【００４０】
別の好ましい実施例によれば、本発明による装置は、包装容器を製造するために、積層板紙の材料ウェブ内で開口装置の形のプラスチック部品を形成するように配設される。そのような装置によって、開口装置が効率的に材料ウェブ内に設けられ、その後、包装容器をそれから形成することができるようになる。
【００４１】
本発明を、例示のために本発明の現在好ましい実施例を示す添付の図面を参照して、以下により詳細に説明する。
【実施例】
【００４２】
本発明による方法及び装置を以下に説明する。
【００４３】
図１〜３による第１の実施例において、装置は、マンドレル・ホイール２が取り付けられている架台１を有する。５つのマンドレル３がマンドレル・ホイール２のハブ４から径方向に外側に延びている。各マンドレル３の径方向外端上には、２つの外側鋳型６が付いた成形工具５が配置されている。マンドレル３の外端領域は、成形工具５内で内側鋳型を構成する。各外側鋳型６はＬ字形保持器７の端部に固定されている。保持器７は、ピボット１０によって互いに固定されている実質上垂直なシャンク８及び実質上水平なシャンク９からなる。水平シャンク９は、ピボット１０とは反対側の端部に、ホイール１１を有する。調整ねじ１４が付いたばね１３は、保持器７の水平シャンク９に連結されている。水平シャンク９上には、スリーブ１２がさらに配置されている。架台１内には、ブレーキ・キャリパ１５の形の結合装置が、自由に吊り下げられている。ブレーキ・キャリパ１５はシリンダ１６を有する。装置は、カム溝１９が配設されているカム・ディスク１８が付いたカム機構１７を有する。装置はさらに、射出成形ノズル２３及び調整機構２４を有する。
【００４４】
マンドレル・ホイール２は、ハブ４のまわりを回転可能である。マンドレル・ホイール２が回転すると、各マンドレル３は、成形工具５を付けたまま、５つの製造ステーションＡ〜Ｅを進む。アプリケータ（付与装置）・ステーションＡにおいて、積層板紙スリーブ２２がマンドレル３上に与えられる。
【００４５】
マンドレル・ホイール２が時計回りに回転し、それによってマンドレルは、射出成形ステーションＢに到着する。回転している間、保持器７のホイール１１は、カム従動体として、カム・ディスク１８のカム溝１９をたどる。アプリケータ・ステーションＡから射出成形ステーションＢまで動く途中、ホイール１１は、カム溝１９内の第１の偏向部（ｄｅｆｌｅｃｔｉｏｎ）２０を通る。その結果、保持器７がマンドレル３に向かって内側に傾き、外側鋳型６が互いに近づき、それにより成形工具５が閉じる。ばね１３があることによって、成形工具は、約１ｋＮの第１の力で一体に保持される。マンドレル・ホイール２が回転し、それによって閉じた成形工具５が付いたままのマンドレル３がブレーキ・キャリパ１５内に移動する。射出成形ステーションＢにおいて、成形工具５に射出成形ノズル２３が挿入される。調整機構２４によって、射出成形ノズル２３が成形工具５内に位置決めされ、板紙スリーブ２２が成形工具５に関して位置決めされ、それによって板紙スリーブ２２の端部上における上部２５の射出成形が高い精度で実施できるようになる。射出成形中、成形工具が確実に一体に保持されるように、ブレーキ・キャリパ１５のシリンダ１６によって、第１の力より大きい約２０ｋＮの第２の力が成形工具５にかけられる。
【００４６】
射出成形完了後、成形工具は第２の力から解放され、マンドレル・ホイール２がさらに時計回りに回転し、それによってマンドレル３が冷却ステーションＣに到達する。射出成形ステーションＢからの移動中及び冷却ステーションＣにおいて、板紙スリーブ２２の端部上に射出成形されたプラスチック・トップ２５が冷める。
【００４７】
マンドレル・ホイール２は、薄膜アプリケータ・ステーションＤに向かって時計回りにさらに回転する。冷却ステーションＣから薄膜アプリケータ・ステーションＤまで動く途中、保持器７のホイール１１はカム溝１９内の第２のそらせ部２６を通る。その結果、保持器７がマンドレル３から外側に傾き、外側鋳型６が互いに遠ざかるように移動し、それによって成形工具５が開く。薄膜アプリケータ・ステーションＤにおいて、プラスチック上部２５を包囲するために薄膜がその上に付着される。
【００４８】
次いで、マンドレル・ホイールは、排出ステーションＥまで時計回りにさらに回転し、そこでプラスチック上部２５が付いたままの板紙スリーブ２２がマンドレルから取り外される。
【００４９】
射出成形後、成形工具５がプラスチック上部２５を伴って動くので、成形工具５がプラスチック上部２５から射出成形直後に取り外される場合よりも冷却時間が長くとられる。プラスチック上部２５は、成形工具５が取り外される前に十分に冷めるので、プラスチックの変形は防止される。
【００５０】
各マンドレル上に成形工具が１つずつ取り付けられているので、複数の包装容器用の半加工品を同時に加工することができる。アプリケータ・ステーションＡにおいて、１つの板紙スリーブ２２がマンドレルに与えられ、それと同時に、射出成形ステーションＢにおいて、プラスチック上部２５が別の板紙スリーブ２２の端部上に射出成形される。同時に、冷却ステーションＣにおいて、プラスチック上部２５が付いたままの別の板紙スリーブ２２が冷め、薄膜アプリケータ・ステーションＤにおいて、プラスチック上部２５が付いたままの別の板紙スリーブ２２に薄膜が付着され、排出ステーションＥにおいて、プラスチック上部２５及び薄膜が付いたままの板紙スリーブ２２がマンドレルから取り外される。このようにして、製造工程そのものを遅くすることなく、十分に長い冷却時間を実現することができる。
【００５１】
図４〜６に概略的に示されている第２の実施例において、装置は、積層板紙の材料ウェブ１０１を前進させるいくつかのローラ１００を有する。板紙はマガジン・リール１０２から供給され、前進方向Ｍに前進する。装置は、３つの互いに隣接したパンチング（穿孔）・ステーション１０３及び前進方向Ｍでそれより下流側にある３つの射出成形ステーション１０４を有する。さらに下流側には、形成セクション１０５がある。パンチング・ステーション１０３の上流側及び射出成形ステーション１０４の下流側には、緩衝領域１０６がある。射出成形ステーションには、エンドレス・チェーン若しくはベルト１０８、又は回転ホイール１０９の形の駆動手段に取り付けられた成形工具１０７がある。
【００５２】
材料ウェブ１０１の形の板紙は、ローラ１００によってマガジン・リール１０２からパンチング・ステーション１０３に送られ、そこでウェブ１０１が減速し、板紙に穴があけられる。材料ウェブ１０１の減速の補償のため、緩衝領域１０６がパンチング・ステーション１０３の上流側に配設され、そこでウェブは垂れ下がる。
【００５３】
ウェブ１０１はさらに前進し、それによって、あけられた穴が射出成形ステーション１０４に到達する。ここで、ウェブ１０１は再度減速する。この減速は、射出成形ステーション１０４の下流側にある緩衝領域１０６によって補償される。エンドレス・チェーン１０８又はホイール１０９の形の駆動手段によって、成形工具１０７が材料ウェブ１０１に接触する。上記の第１の実施例と同様に、各成形工具１０７はカム機構によって開閉される。このとき、成形工具はまた、ばね力によって一体に保持されている。成形工具に射出成形ノズル（図示せず）が挿入され、そこで位置決めされる。射出成形ステーション１０４において、ブレーキ・キャリパ（図示せず）が材料ウェブ１０１まわりに配設される。上記の第１の実施例のように、ブレーキ・キャリパはシリンダを有し、それを用いることにより、力が成形工具１０７にかけられ、それによって成形工具が径方向に確実に一体に保持される。開口装置が、材料ウェブ１０１の各穴内で射出成形され、その後、成形工具にかかるブレーキ・キャリパの力が解放される。材料ウェブ１０１はさらに前進するが、成形工具はばね力によって依然として閉じたままであり、それによって開口装置に冷却時間が与えられる。カム機構によって、その後、成形工具１０７が開く。
【００５４】
材料ウェブ１０１は、形成セクション１０５までさらに前進し、そこで包装容器１１０が形成される。
【００５５】
本発明による装置のこの実施例は、射出成形を断続的に実施するのではなく連続的に実施し、それによって材料ウェブ１０１を遅くする必要をなくすように変更してもよい。その場合、緩衝領域１０６は必要なくなる。そのような場合、射出成形ステーションは、別個の点ではなく、むしろ前進Ｍ方向で極端に短い線（ｄａｓｈ）となる。
【００５６】
第１の実施例のように、第２の実施例による装置は、成形工具１０７が閉じたままにされるという点で、射出成形されたプラスチック部品の十分な冷却時間を確保し、前進方向Ｍにある距離だけプラスチック部品を伴って動く。
【００５７】
各駆動手段１０８、１０９上に複数の工具１０７が配置されているので、ある成形工具１０７内である開口装置を射出成形すると同時に、別の成形工具１０７内で別の開口装置が冷めることができる。
【００５８】
両方の実施例において、スリーブ１２及びばね１３が付いた保持器７の設計は、カム溝１９が摩耗しても成形工具５、１０７の開閉機能が確実に機能するようにする設計である。保持器７のシャンク８とシャンク９の角度を保持した状態で、水平シャンク９がスリーブ１２内部に当接するまで、保持器はピボット１０まわりに回転することができる。この運動空間が利用されると、ばね１３は偏倚される。調整ねじ１４によって、所望の程度までばね１３に予備張力をかけることが可能になる。
【００５９】
本発明を包装容器用のプラスチック部品の製造に関して説明してきたが、本発明は、プラスチック部品が射出成形される他の状況においても当然実施することができる。
【図面の簡単な説明】
【００６０】
【図１】本発明による装置の第１の実施例による装置の正面図である。
【図２】図１の装置の線ＩＩ−ＩＩに沿った部分断面図である。
【図３】図２の印ＩＩＩの部分の拡大図である。
【図４】本発明による装置の第２の実施例の諸部分の斜視図である。
【図５】図４による装置のための駆動手段の概略側面図である。
【図６】図４の装置のための代替駆動手段の概略側面図である。
【図１】
2005515095.tif 000003
【図２】
2005515095.tif 000004
【図３】
2005515095.tif 000005
【図４】
2005515095.tif 000006
【図５】
2005515095.tif 000007
【図６】
2005515095.tif 000008
【手続補正書】
【提出日】平成16年7月28日(2004.7.28)
【手続補正１】
【補正対象書類名】特許請求の範囲
【補正対象項目名】全文
【補正方法】変更
【補正の内容】
【特許請求の範囲】
【請求項１】
成形工具（５；１０７）を用いてプラスチック部品が射出成形される段階と、射出成形後に前記成形工具（５；１０７）が前記プラスチック部品と一体に移動される段階とを含むプラスチック部品の製造方法であって、
前記成形工具（５；１０７）が閉ざされる段階と、
前記成形工具（５；１０７）に、それらを一体に保持するための第１の力がかかる段階と、
前記成形工具内に射出成形ノズル（２３）が位置決めされる段階と、
前記成形工具（５；１０７）に、それらを一体に保持するための、前記第１の力よりも大きな第２の力がかかる段階と、
射出成形後に、
前記成形工具（５；１０７）が負荷から開放される段階とをさらに含むことを特徴とする、プラスチック部品の製造方法。
【請求項２】
移動中、前記各プラスチック部品が放冷される、請求項１に記載の方法。
【請求項３】
射出成形後、前記各プラスチック部品が射出成形位置に関して冷却位置まで移動される、請求項１又は２に記載の方法。
【請求項４】
前記冷却位置において前記各プラスチック部品が放冷される、請求項３に記載の方法。
【請求項５】
移動中、前記成形工具に前記第１の力がかかる、請求項１に記載の方法。
【請求項６】
移動後、前記成形工具（５；１０７）が開く、請求項１に記載の方法。
【請求項７】
前記射出成形位置において、プラスチック部品の射出成形が実施されると同時に、それより前に射出成形された別のプラスチック部品が前記冷却位置に配置される、請求項１から６までのいずれか一項に記載の方法。
【請求項８】
包装容器を形成するために、上部（２５）の形のプラスチック部品がスリーブ（２２）の１つの端部上に射出成形される、請求項１に記載の方法。
【請求項９】
前記射出成形ノズル（２３）の位置決めの際、前記スリーブ（２２）が前記成形工具（５；１０７）に関して位置決めされる、請求項８に記載の方法。
【請求項１０】
開口装置の形のプラスチック部品が、材料ウェブ（１０１）の開口内に射出成形される、請求項１から７までのいずれか一項に記載の方法。
【請求項１１】
前記射出成形ノズル（２３）の位置決めの際、前記材料ウェブ（１０１）が前記成形工具（５；１０７）に関して位置決めされる、請求項１０に記載の方法。
【請求項１２】
射出成形ノズル（２３）と、互いに協働する鋳型又は半鋳型を備えた、開位置及び閉位置を有する成形工具（５；１０７）と、射出成形が実施される射出成形位置に関して各プラスチック部品を移動させる手段（２，１００）と、前記成形工具（５；１０７）を閉じた状態で前記プラスチック部品と一体に移動させる手段（２；１０８，１０９）とを有する、プラスチック部品を製造する装置であって、
射出成形中、前記鋳型（６）を一体に保持する結合装置（１５）をさらに有し、この結合装置（１５）が、前記鋳型（６）に、それらを一体に保持するための、第１の力及び第２の力をかけるように配設され、前記第２の力が前記第１の力よりも大きいことを特徴とする、プラスチック部品を製造する装置。
【請求項１３】
前記鋳型（６）を互いに近づけ遠ざけるように移動させることによって前記成形工具をそれぞれ開け、閉じる、カム機構（１７）をさらに有する、請求項１２に記載の装置。
【請求項１４】
前記鋳型（６）を支持し移動させる保持手段（７）をさらに有する、請求項１３に記載の装置。
【請求項１５】
前記各保持手段（７）が、カム溝（１９）をたどるように配設されたホイール（１１）を有する、請求項１４に記載の装置。
【請求項１６】
前記ホイール（１１）がばねで偏倚される、請求項１５に記載の装置。
【請求項１７】
前記成形工具（５）内に前記射出成形ノズル（２３）を位置決めする手段（２４）をさらに有する、請求項１２に記載の装置。
【請求項１８】
前記結合装置（１５）が、前記第１の力をかけるばねユニット（１３）を有する、請求項１２から１７までのいずれか一項に記載の装置。
【請求項１９】
前記結合装置（１５）が、前記第２の力をかけるピストンとシリンダの組立体（１６）を有する、請求項１２から１８までのいずれか一項に記載の装置。
【請求項２０】
前記成形工具（５）を移動させる手段（２）が、回転ハブ（４）と、該回転ハブ（４）から径方向に外に突き出し、前記成形工具（５）がその径方向外端に配設されている、少なくとも１つのアーム（３）とを備える、請求項１２から１９までのいずれか一項に記載の装置。
【請求項２１】
前記成形工具（５）を移動させる手段（２）が、５つの前記径方向のアーム（３）を有し、前記ハブ（４）まわりに対称に配置された各アーム（３）の径方向外端に、前記成形工具（５）が１つずつ配設されている、請求項２０に記載の装置。
【請求項２２】
前記成形工具（５）が、前記ハブ（４）まわりの回転によって、前記結合装置（１５）に挿入され、そこから取り外されるように配設されている、請求項２０又は２１に記載の装置。
【請求項２３】
前記成形工具を移動させる手段（１０８，１０９）が、対になって配設された駆動手段を備える、請求項１２から１９までのいずれか一項に記載の装置。
【請求項２４】
前進方向（Ｍ）に材料ウェブ（１０１）を前進させる手段（１００）をさらに含み、該材料ウェブ（１０１）上に、プラスチック部品が射出成形され、前記材料ウェブ（１０１）が前進する位置の両側に前記駆動手段（１０８，１０９）が配設される、請求項２３に記載の装置。
【請求項２５】
前記駆動手段（１０８，１０９）が、前記成形工具（１０７）を、前記材料ウェブ（１０１）の前進方向Ｍに、前記材料ウェブ（１０１）を前進させる速度と実質的に同じ速度で移動させるように配設されている、請求項２３又は２４に記載の装置。
【請求項２６】
前記各駆動手段上に前記成形工具が少なくとも２つずつ配設されている、請求項２４又は２５に記載の装置。
【請求項２７】
前記駆動手段が回転ホイール（１０９）を備える、請求項２３から２６までのいずれか一項に記載の装置。
【請求項２８】
前記駆動手段がエンドレス・ベルト（１０８）を備える、請求項２３から２６までのいずれか一項に記載の装置。
【請求項２９】
前記駆動手段がエンドレス・チェーン（１０９）を備える、請求項２３から２６までのいずれか一項に記載の装置。
【請求項３０】
積層板紙のスリーブ（２２）の１つの端部上にプラスチック部品を射出成形することによって、包装容器用の上部（２５）の形のプラスチック部品を形成するように配設されている、請求項１２から２２までのいずれか一項に記載の装置。
【請求項３１】
包装容器（１１０）製造のため、積層板紙の材料ウェブ（１０１）内で開口装置の形のプラスチック部品を形成するように配設されている、請求項１２から１９まで又は請求項２３から２９までのいずれか一項に記載の装置。
【手続補正２】
【補正対象書類名】明細書
【補正対象項目名】０００６
【補正方法】変更
【補正の内容】
【０００６】
これらの目的は、紹介のために上記で述べた形式の方法に、添付の請求項１で述べた特徴を加えた本発明によって達成されるであろう。本方法の好ましい実施例は、添付の従属請求項２から１１までにおいて明らかになるであろう。本発明の目的はまた、添付の請求項１２で述べた装置及び添付の従属請求項１３から３３までに開示した好ましい実施例によって達成されるであろう。
【手続補正３】
【補正対象書類名】明細書
【補正対象項目名】０００７
【補正方法】変更
【補正の内容】
【０００７】
したがって、本発明による方法では、射出成形後、成形工具がプラスチック部品と一体に移動されるという特徴を利用する。そのような手段によって、製造工程を遅くせずに成形工具内でのプラスチック部品の冷却時間を増大させることができる。さらに、射出成形の前に、成形工具が閉ざされ、成形工具に、それらを一体に保持するための第１の力がかかり、成形工具内に射出成形ノズルが位置決めされ、成形工具に、それらを一体に保持するための、第１の力よりも大きな第２の力がかかり、そして、射出成形後に、この方法は、成形工具が負荷から開放される段階を含んでいる。こうして、射出成形を良好な精度で行うことができる。
【手続補正４】
【補正対象書類名】明細書
【補正対象項目名】００１１
【補正方法】削除
【補正の内容】
【手続補正５】
【補正対象書類名】明細書
【補正対象項目名】００１９
【補正方法】変更
【補正の内容】
【００１９】
本発明による装置では、工具を閉じた状態でプラスチック部品と一体に移動させる手段を利用する。それによって、生産速度を高く保ちながら冷却時間を長くすることが可能になる。装置はさらに、射出成形中に鋳型を一体化させる結合装置を有する。それによって、射出成形中、成形工具は確実に一体に保持されるようになる。この結合装置はさらに、鋳型に、それらを一体に保持するための、第１の力及び第２の力をかけるように配設され、第２の力は第１の力よりも大きい。その結果、より大きな力をかける前に、一体化した成形工具のいくつかの調整を実施することができ、それによって射出成形中の成形工具の一体化が確実になる。
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【国際調査報告】
2005515095.tif 000009
2005515095.tif 000010
2005515095.tif 000011